(57)【特許請求の範囲】
【請求項１】
携帯機器に接続するためのコネクタと受信波伝送路と接地線と中継ユニットと少なくとも２つ以上の音声信号線及びイヤホンとを備えたイヤホン接続ケーブルであって、
前記中継ユニットは、前記受信波伝送路と接地線とを接続する第１インダクタンス素子と、
前記接地線及び前記少なくとも２つ以上の音声信号線上にそれぞれ第２インダクタンス素子とをさらに備え、
前記少なくとも２つ以上のイヤホンのうちいずれか１つのイヤホンを前記受信波伝送路に接地するとともに、他のイヤホンを前記接地線に接地して前記イヤホンの接地を分離し、かつ、前記第１インダクタンス素子及び前記第２インダクタンス素子を挿入したことにより、前記イヤホン間の音声信号の重畳を抑制することを特徴とするイヤホン接続ケーブル。
【請求項２】
第２中継ユニットをさらに備え、
前記第２中継ユニットは、前記接地線及び前記少なくとも２つ以上の音声信号線上にそれぞれ第３インダクタンス素子を備え、
前記少なくとも２つ以上のイヤホンのうちいずれか１つのイヤホンを前記受信波伝送路に接地するとともに、他のイヤホンを前記接地線に接地して前記イヤホンの接地を分離し、かつ、前記第１インダクタンス素子及び前記第２インダクタンス素子を挿入したことにより、前記イヤホン間の音声信号の重畳を抑制することを特徴とする請求項１に記載のイヤホン接続ケーブル。
【請求項３】
携帯機器に接続するためのコネクタと受信波伝送路と接地線と中継ユニットと音声出力信号線及びイヤホンならびに音声入力信号線及びマイクとを備えたイヤホン接続ケーブルであって、
前記中継ユニットは、前記受信波伝送路と接地線とを接続する第１インダクタンス素子と、
前記接地線ならびに前記音声出力信号線及び音声入力信号線上にそれぞれ第２インダクタンス素子とをさらに備え、
前記音声出力信号線及び音声入力信号線のうち、いずれか一方の信号線を前記受信波伝送路に接地するとともに、他の信号線を前記接地線に接地して前記イヤホンと前記マイクの接地を分離し、かつ、前記第１インダクタンス素子及び前記第２インダクタンス素子を挿入したことにより、前記イヤホンと前記マイクの間の音声信号の重畳を抑制することを特徴とするイヤホン接続ケーブル。
【請求項４】
請求項１ないし請求項３記載のいずれか１項に記載のイヤホン接続ケーブルを備えた携帯機器。
【発明の詳細な説明】
【技術分野】
【０００１】
本発明は、アンテナ機能と音声信号伝送機能とを有する線状導体（イヤホンケーブル）及び該イヤホンケーブルを備えた携帯電話端末、通信機能付きメディアプレーヤ、通信機能搭載ゲーム機器等の電子機器、携帯機器に関し、特に音声信号伝送性能の高性能化に関する。
【背景技術】
【０００２】
従来、携帯電話端末、通信機能付きメディアプレーヤ、通信機能搭載ゲーム機器等の電子機器、携帯機器に接続する音声信号伝送ケーブル（イヤホンケーブル）の中には、アンテナと一体的に構成されたものがある（例えば、特許文献１参照）。かかる携帯機器では、機器本体に取り付けたイヤホンワイヤをアンテナと兼用しており、例えばステレオ音声の出力用に用意された左右２本のイヤホンワイヤに対して、片側のワイヤのみをアンテナとして使用するか、あるいは、チョークコイル等を介して両方のイヤホンワイヤを結合して左右２本のイヤホンワイヤ全体をアンテナとして使用するものであった。
【０００３】
ここで、左右それぞれの音声鳴動用イヤホン（スピーカ）の接地については、一般に、図５に示すような接地がなされていた。
【０００４】
例えば、図５（ａ）に示す携帯機器では、チューナー部５０２及び音声回路５０３を備えた携帯機器５０１の機器側コネクタ５０５に対して、ケーブル側コネクタ５０６が差し込まれるように接続されている。機器側コネクタ５０５の内部には複数の導電性端子バネ５０４が配設されており、チューナー部５０２、音声回路５０３、図示しない制御部等の電子回路等とケーブル側の信号線とが端子バネ５０４を介して電気的に接続されている。
【０００５】
ケーブル側の信号線は、音声回路５０３と接続されているＲ側音声信号線５０８ａ及びＬ側音声信号線５０８ｂ、チューナー部と接続されているアンテナ信号線（受信波伝送路）５０９、接地電位線５１０から構成されている。そして、アンテナ信号線５０９及び接地電位線５１０は同軸線５０７に接続され、Ｒ側音声信号線５０８ａ及びＬ側音声信号線５０８ｂとともに中継ユニット５１３にそれぞれはんだ付け等により連結固定されている。
【０００６】
中継ユニット５１３の内部には複数のインダクタンス素子５１２が配設され、Ｒ側音声信号線５０８ａ及びＬ側音声信号線５０８ｂは、インダクタンス素子群５１２を経由してＲ側イヤホン５１６ａ及びＬ側イヤホン５１６ｂへ接続されている。そして、機器側からＲ側音声信号線５０８ａを通って伝送されるＲ側音声信号は、Ｒ側イヤホン５１６ａへ到達すると折り返してＲ側イヤホン接地線５１４ａ、接点Ｓ５２を経て接地電位線５１４へ接地される。また、機器側からＬ側音声信号線５０８ｂを通って伝送されるＬ側音声信号は、Ｌ側イヤホン５１６ｂへ到達すると折り返してＬ側イヤホン接地線５１４ｂを経て、やはりＲ側音声信号と同様に、接点Ｓ５２を経由して接地電位線５１４へ接地される。なお、接地電位線５１４へ接地された信号は、インダクタンス素子５１２、同軸線５０７（の外被導体）、接地電位線５１０を経て携帯機器内のアースへ接地される。
【０００７】
一方、チューナー部５０２に対し、アンテナ信号線５０９を通って伝送されるアンテナ信号（「受信波」とも言う。以下、同じ。）は、同軸線５０７を経て中継ユニット５１３から到達するものであり、さらにはアンテナ素子５１５を経て接点Ｓ５１を分岐点としてＲ側及びＬ側のイヤホンケーブルに沿って分岐したアンテナ素子５１５ａと５１５ｂとから伝搬するものである。なお、アンテナ素子５１５ａ及び５１５ｂの先端は、共に開放されており、Ｒ側イヤホン５１６ａともＬ側イヤホン５１５ｂとも接続されていない。
【特許文献１】特開２００２−３１４４５０号公報
【発明の開示】
【発明が解決しようとする課題】
【０００８】
しかしながら、図５に示す従来の携帯機器には次のような課題があった。
【０００９】
まず、図５に示した携帯機器のように、Ｒ側イヤホンとＬ側イヤホンとの接地接点を共通にした場合には、Ｒ側イヤホンに対するＬ側イヤホンの音声信号の重畳、あるいは、Ｌ側イヤホンに対するＲ側イヤホンの音声信号の重畳という問題が発生する。この問題発生の仕組みはおおよそ次の通りである。
【００１０】
すなわち、図５（ａ）のうち、中継ユニット５１３からＲ側イヤホン５１６ａ及びＬ側イヤホン５１６ｂまでを拡大した図５（ｂ）において、Ｒ側イヤホン５１６ａとＬ側イヤホン５１６ｂとでは、接点Ｓ５２で接地線を共有しているために、その共有接地線上に配設されたインダクタンス素子５１２ａを共用することになる。そうすると、例えば、機器側からＲ側イヤホン５１６ａにのみ音声信号を伝送した場合であっても、Ｒ側イヤホン５１６ａへ伝送された信号の戻り信号がＲ側イヤホン接地線５１４ａ、接点Ｓ５２を経てインダクタンス素子５１２ａを通る際に生じる電位差（インダクタンス素子５１２ａの両端Ｖ５１及びＶ５２の間に生じる電位差）が、機器側からは何も音声信号を伝送していないはずのＬ側イヤホン５１６ｂへも影響してＲ側の音声信号が伝達されてしまうのである。
【００１１】
具体的な使用シーンに基づいて例を挙げると、例えば、映画やニュースなどで二ヶ国語（日本語及び英語）放送を視聴していた場合に、Ｒ側イヤホン５１６ａから日本語のセリフを出力し、Ｌ側イヤホン５１６ｂから英語のセリフを出力するように機器側で制御したとしても、イヤホン側では上述した重畳現象によってＲ側イヤホン５１６ａに英語のセリフが混入し、あるいは、Ｌ側イヤホン５１６ｂに日本語のセリフが混入することによって、ユーザがそれぞれの言語を聞き取りづらくなるという問題が発生する。あるいは、ゲームを行っているときに、特殊な効果としてＲ側イヤホンからのみ音声を出力するように機器側で制御しようとしても、上記重畳現象によってうまく演出できないという不具合が生じる。同様に、Ｒ側からＬ側へと効果音を振る（流す）ように制御しようとしても重畳現象により充分な効果が得られないという問題が生ずる。
【００１２】
なお、Ｒ側イヤホン及びＬ側イヤホンを備えたステレオイヤホンに限らず、マイクとイヤホンとを備えた携帯機器の場合にも、マイク及びイヤホンの接地線を共用することによる不具合が発生し得る。例えば、マイクのＯＮ／ＯＦＦによってイヤホン側にノイズが混入してしまうという問題である。原理は、ステレオイヤホンにおける上述した重畳現象と同様である。
【００１３】
したがって、本発明は、かかる課題を解決するために、アンテナ機能と音声信号伝送機能とを有する線状導体（イヤホンケーブル）及び該イヤホンケーブルを備えた携帯電話端末、通信機能付きメディアプレーヤ、通信機能搭載ゲーム機器等の電子機器、携帯機器におけるステレオイヤホン間、または、イヤホンとマイクとの間の音声信号重畳を抑制することにより、音声信号伝送性能を大幅に向上せしめるイヤホン接続ケーブル及びイヤホン接続ケーブルを備えた携帯機器等を提供することを目的とする。
【課題を解決するための手段】
【００１４】
本発明のイヤホン接続ケーブルは、携帯機器に接続するためのコネクタと受信波伝送路と接地線と中継ユニットと少なくとも２つ以上の音声信号線及びイヤホンとを備えたイヤホン接続ケーブルであって、前記中継ユニットは、前記受信波伝送路と接地線とを接続する第１インダクタンス素子と、前記接地線及び前記少なくとも２つ以上の音声信号線上にそれぞれ第２インダクタンス素子とをさらに備え、  前記少なくとも２つ以上のイヤホンのうちいずれか１つのイヤホンを前記受信波伝送路に接地するとともに、他のイヤホンを前記接地線に接地して前記イヤホンの接地を分離し、かつ、前記第１インダクタンス素子及び前記第２インダクタンス素子を挿入したことにより、前記イヤホン間の音声信号の重畳を抑制することを特徴とするイヤホン接続ケーブルである。
【００１５】
また、本発明のイヤホン接続ケーブルは、第２中継ユニットをさらに備え、前記第２中継ユニットは、前記接地線及び前記少なくとも２つ以上の音声信号線上にそれぞれ第３インダクタンス素子を備え、前記少なくとも２つ以上のイヤホンのうちいずれか１つのイヤホンを前記受信波伝送路に接地するとともに、他のイヤホンを前記接地線に接地して前記イヤホンの接地を分離し、かつ、前記第１インダクタンス素子及び前記第２インダクタンス素子を挿入したことにより、前記イヤホン間の音声信号の重畳を抑制することを特徴とする上記記載のイヤホン接続ケーブルである。
【００１６】
また、本発明のイヤホン接続ケーブルは、携帯機器に接続するためのコネクタと受信波伝送路と接地線と中継ユニットと音声出力信号線及びイヤホンならびに音声入力信号線及びマイクとを備えたイヤホン接続ケーブルであって、前記中継ユニットは、前記受信波伝送路と接地線とを接続する第１インダクタンス素子と、前記接地線ならびに前記音声出力信号線及び音声入力信号線上にそれぞれ第２インダクタンス素子とをさらに備え、前記音声出力信号線及び音声入力信号線のうち、いずれか一方の信号線を前記受信波伝送路に接地するとともに、他の信号線を前記接地線に接地して前記イヤホンと前記マイクの接地を分離し、かつ、前記第１インダクタンス素子及び前記第２インダクタンス素子を挿入したことにより、前記イヤホンと前記マイクの間の音声信号の重畳を抑制することを特徴とするイヤホン接続ケーブルである。
【００１７】
また、本発明の携帯機器は、上述したイヤホン接続ケーブルを備えたことを特徴とする携帯機器である。
【発明の効果】
【００１８】
本発明のイヤホン接続ケーブル及び該イヤホン接続ケーブルを備えた携帯機器によれば、ステレオイヤホンのＲ側イヤホンとＬ側イヤホンとの間、または、イヤホンとマイクとの間の音声信号の重畳を抑制し、かつ、高い音声信号伝送性能を発揮するイヤホン接続ケーブル及び携帯機器を提供することができる。
【発明を実施するための最良の形態】
【００１９】
本発明の実施の形態にかかるイヤホン接続ケーブル及び該イヤホン接続ケーブルを備えた携帯機器を、以下に図面を参照して詳細に説明する。
【００２０】
（第１の実施の形態）
図１は、本発明にかかるイヤホン接続ケーブル及び該イヤホン接続ケーブルを接続した携帯機器の構成図である。特に、図１（ａ）はイヤホン接続ケーブルを接続した携帯機器の構成図であり、図１（ｂ）はイヤホン接続ケーブル部分の拡大図である。図１（ａ）と図１（ｂ）とで共通する部材には同一の部材番号を付している。
【００２１】
携帯機器１０１は、本発明に特有の構成としては、少なくともチューナー部１０２と音声回路１０３とを備えている。チューナー部１０２は、例えば、地上波アナログ、地上波デジタルなどのテレビジョン放送の受信が可能なテレビチューナー回路を備えている。使用する周波数帯としては、地上波アナログ放送では、例えば、９０ＭＨｚから１１０ＭＨｚ程度のＶＨＦ帯Ｌｏｗ−Ｃｈａｎｎｅｌ、１７０ＭＨｚから２２０Ｍｚ程度のＶＨＦ帯Ｈｉｇｈ−Ｃｈａｎｎｅｌ、４７０ＭＨｚから７７０ＭＨｚ程度のＵＨＦ帯などのバンドがある。また、地上波デジタルテレビジョン放送の周波数は、その帯域によって本発明の本質に影響を及ぼすものではないが、おおよそ４７０ＭＨｚから７７０ＭＨｚ程度の上記ＵＨＦ帯域に含まれると考えて差し支えない。なお、テレビジョン放送以外の複数の周波数帯域にわたる放送受信を行う場合であっても、例えば、アンテナ素子長を適宜変更するなどの手段を講じることにより、本質的部分を変更することなく本発明を適用することができる。
【００２２】
その他、図示しないＣＰＵ等の制御部やメモリデバイスをはじめ、携帯機器として必要ならば、キーパッド等の入力部、液晶ディスプレイ等の表示部などを適宜備えていることは言うまでもない。
【００２３】
音声回路１０３は、演算部と必要に応じて記憶部とを備え、音声信号の演算処理や信号制御を行い、出力すべき音声信号をＲ側音声信号とＬ側音声信号とに振り分けて、いわゆるステレオ出力が可能となっている。
【００２４】
そして、上述した携帯機器１０１の機器側コネクタ１０５に対して、ケーブル側コネクタ１０６が差し込まれるように接続されている。機器側コネクタ１０５の内部には複数の導電性端子バネ１０４が配設されており、チューナー部１０２、音声回路１０３、図示しない制御部等の電子回路等とケーブル側の信号線とが、端子バネ１０４を介して電気的に接続されている。
【００２５】
ケーブル側の信号線は、音声回路１０３と接続されているＲ側音声信号線１０８ａ及びＬ側音声信号線１０８ｂ、チューナー部と接続されているアンテナ信号線１０９、接地電位線１１０から構成されている。接地電位線１１０は、端子バネ１０４を介して携帯機器１０１内部のアースへ接地されている。そして、アンテナ信号線１０９及び接地電位線１１０は同軸線１０７に接続され、Ｒ側音声信号線１０８ａ及びＬ側音声信号線１０８ｂとともに中継ユニット１１３にそれぞれはんだ付け等により連結固定されている。
【００２６】
同軸線１０７は、ＲＦ高周波用同軸ケーブルであり、例えば、７５〔Ω〕程度のものが用いられる。また、その構造については図示しないが、一般的には屈曲自在な中心導体の周りを低損失発砲絶縁体などで被覆し、さらにその上から網組された外被導体で覆い、最外部を非導電性の外皮で被覆する構成をとっている。本発明では、中心導体はアンテナ信号線１０９とアンテナ素子１１５とに接続され、その外被導体は接地電位線１１０とインダクタンス素子１１２ａとに接続されている。
【００２７】
また、同軸線１０７と上述した複数の信号線は、必要に応じて、非導電性の材質で覆い束ねることも可能である。
【００２８】
中継ユニット１１３の内部には複数のインダクタンス素子１１２が配設され（図１（ｂ）における１１２ａないし１１２ｃ）、Ｒ側音声信号線１０８ａ及びＬ側音声信号線１０８ｂは、インダクタンス素子群１１２を経由してイヤホン１１６ａ及び１１６ｂへ接続されている。
【００２９】
図１（ｂ）にもとづき機器側から伝送された音声信号の流れについて詳述すると、機器側からＲ側音声信号線１０８ａを通って伝送されたＲ側音声信号は、インダクタンス素子１１２ｂ、接点Ｓ１３を経てＲ側イヤホン１１６ａへ到達する。次に、折り返して、アンテナ素子１１５ａ、接点Ｓ１１を経てアンテナ素子１１５へ接地される。後述するように、アンテナ素子１１５、１１５ａにはアンテナ信号も伝送されるので、アンテナ素子１１５及び１１５ａは、アンテナ信号線とＲ側イヤホン接地線とを兼用することとなる。
【００３０】
また、機器側からＬ側音声信号線１０８ｂを通って伝送されたＬ側音声信号は、インダクタンス素子１１２ｃ、接点Ｓ１４を経てＬ側イヤホン１１６ｂへ到達する。次に、折り返してＬ側イヤホン接地線１１４ｂ、接点Ｓ１２を経て、接地電位線１１４へ接地される。
【００３１】
このように、Ｒ側イヤホン接地線とＬ側イヤホン接地線とが共用されることはないので、音声信号の重畳現象は抑制されることとなる。
【００３２】
次に、機器側のチューナー部に対し、アンテナ信号線１０９を通って伝送されるアンテナ信号は、同軸線１０７を経て中継ユニット１１３から到達するものであり、さらにはアンテナ素子１１５を経て接点Ｓ１１を分岐点としてＲ側及びＬ側のイヤホンケーブルに沿って分岐したアンテナ素子１１５ａと１１５ｂとから伝搬するものである。
【００３３】
このとき、アンテナ素子１１５ｂの先端は開放されている（Ｌ側イヤホン１１６ｂに接続されていない）が、アンテナ素子１１５ａの先端はＲ側イヤホン１１６ａに接続するように構成する。このような構成により、アンテナ素子１１５ａがＲ側イヤホン接地線としても機能することとなる。
【００３４】
また、図１（ａ）及び図１（ｂ）に図示したように、アンテナ素子１１５と同軸線１０７の外被導体とに接続されるようにインダクタンス素子１１１が配設されている。このインダクタンス素子１１１は、アンテナ整合用として機能する。
【００３５】
ここまで述べた構成について、同軸線１０７の外被導体は接地線として用いているが、これに限定されるものではなく、例えば接地電位線１１０を同軸線１０７の外被導体に接続することなくインダクタンス素子１１２ａの機器側へ直接接続する構成をとることも可能である。その意味で、同軸線１０７やその外被導体の存在は、本発明の一実施形態に過ぎない。
【００３６】
また、インダクタンス素子１１２ａないし１１２ｃの機能的特徴については、次のようなことが言える。すなわち、１１２ａないし１１２ｃのインダクタンスが音声信号に対して高周波成分を遮断する役割を果たすのである。その意味で、インダクタンスがローパスフィルタ、または、バンドパスフィルタの役割を果たすと言い換えることもできる。つまり、平行に配置されたＲ側音声信号線１０８ａとＬ側音声信号線１０８ｂとアンテナ素子１１５とが高周波容量結合した場合に、Ｒ側音声信号線１０８ａとＬ側音声信号線１０８ｂとに高周波信号が漏洩することを防ぐのである。
【００３７】
上述の意味において、インダクタンス素子の取るべき値（インダクタンス値〔ヘンリー〕）としては、おおよそ、４７０ＭＨｚ〜７００ＭＨｚ程度の周波数帯の信号に対してはインピーダンスが高く、５０ＭＨｚ以下から直流成分に対してはインピーダンスが低くなるような値を選択することが望ましい。また、すでに明らかなように、インダクタンス素子１１２ａないし１１２ｃは、それぞれ等価なＬＣ並列共振回路やローパスフィルタなどと置き換え可能である。
【００３８】
なお、インダクタンス素子１１２ａないし１１２ｃの物理的配置については、望ましくは、ケーブルに対して垂直な直線（ケーブルに対する垂線）に沿って配置する。図１（ｂ）においては、ちょうどＡ−Ａ’上に一直線に並ぶように配置する。場合によっては等間隔に配置することが望ましい場合もある。この配置は、本発明が目的とする音声信号伝送性能の高性能化に寄与する直接的な要因ではないが、Ｒ側イヤホン接地線としてアンテナ素子１１５を使用しているため、アンテナ性能の向上維持も図らねばならず、かかる観点からインダクタンス素子１１２ａないし１１２ｃをより望ましい配置にしている。
【００３９】
また、本発明の構成として必須の要件ではないものの、望ましくは、インダクタンス素子１１１とインダクタンス１１２ａないし１１２ｃとは、それぞれ同程度の直流抵抗分（Ω）を有していることが望ましい。例えば、本実施例では、それぞれ１オーム程度のものを使用している。このように、インダクタンス素子１１１、インダクタンス素子１１２ａないし１１２ｃの各直流抵抗値を同程度にすることによって、実験結果では良好な音声信号伝送性能及び音響効果が得られている。
【００４０】
また、Ｒ側イヤホン及びＬ側イヤホンの接地電位線の接続先は、例えば、Ｌ側イヤホン１１６ｂをアンテナ素子１１５に接地し、Ｒ側イヤホン１１６ａを接地線１１４に接地してもよい。つまり、本発明の構成において、Ｒ側イヤホン及びＬ側イヤホンの区別が発明の趣旨に影響を及ぼすことはない。言い換えると、図１のイヤホン接続ケーブルにおいてＲ側音声信号線にＬ側音声信号を伝送し、かつ、Ｌ側音声信号線にＲ側音声信号を伝送したとしても同様の効果が得られる。
【００４１】
図２は、本発明の実施の形態における携帯機器の使用状態を説明する説明図である。
【００４２】
使用者２０１が本発明の携帯機器１０１を使用（テレビの視聴、操作など）する際には、図示したように、Ｒ側イヤホン１１６ａ及びＬ側イヤホン１１６ｂを双方の耳に装着し、携帯機器１０１を手に持ってテレビの視聴やチャネル選択、通信を行うなどする。このとき、中継ユニット１１３は、宙にぶら下がるような形となり、中継ユニット１１３からは非導電性の被覆材で束ねられた接地電位線１１４、アンテナ素子１１５、Ｒ側音声信号線１０８ａ、Ｌ側音声信号線１０８ｂが、使用者側に向かって延びている。そして、Ｒ側イヤホンとＬ側イヤホンとに分岐し、Ｒ側にはアンテナ素子１１５ａ及びＲ側音声信号線１０８ａが、Ｌ側にはアンテナ素子１１５ｂ、Ｌ側音声信号線１０８ｂ、接地電位線１１４が、Ｒ側イヤホン１１６ａ、Ｌ側イヤホン１１６ｂに向かってそれぞれ延びている。各信号線の関係、役割については既に述べた通りである。
【００４３】
（第２の実施の形態）
図３は、本発明の第２の実施の形態におけるイヤホン接続ケーブル及び該イヤホン接続ケーブルを接続した携帯機器の構成図である。特に、図３（ａ）はイヤホン接続ケーブルを接続した携帯機器の構成図であり、図３（ｂ）はイヤホン接続ケーブル部分の拡大図である。図３（ａ）と図３（ｂ）とで共通する部材には同一の部材番号を付している。なお、構成上、第１の実施の形態と重複する点については説明を省略し、第２の実施の形態に特有な点について、以下に説明する。
【００４４】
第２の実施の形態における携帯機器では、イヤホン接続ケーブルの中継ユニット１１３とイヤホンとの間に、第２中継ユニット３０１が新たに配設されている点が大きな特徴となっている。
【００４５】
図３（ａ）において、第２中継ユニット３０１の内部には、複数のインダクタンス素子３０３（図３（ｂ）の３０３ａないし３０３ｄに相当）と複数の導電性端子バネ３０４が配設されており、インダクタンス素子３０３には機器側からの複数の信号線がそれぞれ接続されている。一方、複数の端子バネ３０４に対しては、イヤホン側のケーブルの端部に設けられたケーブル側第２コネクタ３０５が差し込まれるように接続されており、電気的にも接続されている。
【００４６】
以上のように電気的に接続された携帯機器及びイヤホン接続ケーブルにおける電気信号の流れを、図３（ｂ）にもとづいて説明すると、次のようになる。
【００４７】
まず、機器側からＲ側音声信号線１０８ａを通って伝送されたＲ側音声信号は、インダクタンス素子３０３ｃ、接点Ｓ３３を経てＲ側イヤホン１１６ａへ到達する。次に、折り返して第２アンテナ素子３０６ａを経て、接点Ｓ３１へ接地される。
【００４８】
また、機器側からＬ側音声信号線１０８ｂを通って伝送されたＬ側音声信号は、インダクタンス素子３０３ｄ、接点Ｓ３４を経てＬ側イヤホン１１６ｂへ到達する。次に、折り返して接地電位線１１４を経て、接点Ｓ３２へ接地される。
【００４９】
一方、機器側のチューナー部に対し、アンテナ信号線１０９を通って伝送されるアンテナ信号は、同軸線１０７、中継ユニット１１３、アンテナ素子１１５を経て第２中継ユニット３０１より到達するものであり、さらに、インダクタンス素子３０３ａを経て接点Ｓ３１から分岐する第２アンテナ素子３０６ａ及び３０６ｂから伝搬するものである。このとき、アンテナ素子３０６ｂの先端は開放されている（Ｌ側イヤホン１１６ｂに接続されていない）が、アンテナ素子３０６ａの先端はＲ側イヤホン１１６ａに接続するように構成している。このような構成により、アンテナ素子３０６ａがＲ側イヤホン接地線としても機能することとなる。
【００５０】
次に、第２中継ユニット３０１に配設された第３インダクタンス素子３０３ａの意義について説明する。このインダクタンス素子３０３ａは、テレビジョン放送受信に際して、ＵＨＦ波帯を遮断し、ＶＨＦ波帯を通すインダクタンス素子としての役割を果たしている。すなわち、アンテナ素子１１５上のインダクタンス素子１１１と接続されている部分からインダクタンス素子３０３ａの部分までの区間（図３（ｂ）中のＰ区間）が、ＵＨＦに対応するアンテナ区間となり、さらに、この区間に、インダクタンス素子３０３ａの部分から接点Ｓ３１、アンテナ素子３０６ａを経てＲ側イヤホン１１６ａに至る部分までの区間を足し合わせた区間（図３（ｂ）中のＰ＋Ｑの区間）が、ＶＨＦに対応するアンテナ区間となるのである。
【００５１】
したがって、ＵＨＦ波及びＶＨＦ波の双方に対応する必要がない場合等には、第３インダクタンス素子３０３ａを省略することが可能である。
【００５２】
また、Ｒ側イヤホン及びＬ側イヤホンの接地電位線の接続先は、例えば、Ｌ側イヤホン１１６ｂをアンテナ素子３０６ａに接地し、Ｒ側イヤホン１１６ａを接地線１１４に接地してもよい。つまり、本発明の構成において、Ｒ側イヤホン及びＬ側イヤホンの区別が発明の趣旨に影響を及ぼすことはない。言い換えると、図３のイヤホン接続ケーブルにおいてＲ側音声信号線にＬ側音声信号を伝送し、かつ、Ｌ側音声信号線にＲ側音声信号を伝送したとしても同様の効果が得られる。
【００５３】
（第３の実施の形態）
図４は、本発明の第３の実施の形態におけるマイク付きイヤホン接続ケーブル及び該イヤホン接続ケーブルを接続した携帯機器の構成図である。なお、構成上、第１の実施の形態と重複する点については説明を省略し、主に第３の実施の形態に特有な点について、以下に説明する。
【００５４】
第３の実施の形態における携帯機器４０１は、音声回路４０３の構成が、Ｒ側音声信号及びＬ側音声信号を出力するのではなく、マイク入力信号とイヤホン出力信号とを処理する構成となっている。一方、イヤホン接続ケーブルの方もＲ側イヤホン及びＬ側イヤホンの構成ではなく、マイク入力信号線４０８ａ及びマイク４０３、ならびに、イヤホン出力信号線４０８ｂ及びイヤホン４０４の構成となっている。
【００５５】
かかる構成において、信号の流れから各接続関係を説明すると、まず、マイク４０３から入力される音声信号は、マイク入力信号線４０８ａを通り、接点Ｓ４３、中継ユニット１１３内のインダクタンス素子１１２を経て携帯機器４０１内の音声回路４０３に入力される。また、マイク４０３は、アンテナ素子１１５ａに接続されて、接点Ｓ４１、アンテナ素子１１５へ接地されている。
【００５６】
次に、機器側のイヤホン出力信号線４０８ｂを通って伝送される音声出力信号は、中継ユニット１１３内のインダクタンス素子１１２、接点Ｓ４４を経てイヤホン４０４に到達する。折り返し、イヤホン４０４から接地電位線１１４を経て接点Ｓ４２に接地されている。
【００５７】
一方、チューナー部１０２に対し、アンテナ信号線１０９を通って伝送されるアンテナ信号は、同軸線１０７を経て中継ユニット１１３から到達するものであり、さらにはアンテナ素子１１５を経てＳ４１を分岐点としてマイク側及びイヤホン側のケーブルに沿って分岐したアンテナ素子１１５ａと１１５ｂとから伝搬するものであることは第１の実施の形態において説明した通りである。
【００５８】
なお、マイク及びイヤホンの接地電位線の接続先は、例えば、イヤホン４０４をアンテナ素子１１５ａに接地し、マイク４０３を接地線１１４に接地してもよい。つまり、本発明の構成において、マイク及びイヤホンの区別が発明の趣旨に影響を及ぼすことはない。
【００５９】
また、イヤホン接続ケーブルと携帯機器とは、各コネクタ部で着脱可能な構成としたが、これに限定されるものではなく、ケーブルと携帯機器とを一体的に設けるようにしても良い。例えば、ケーブルを携帯機器本体内に巻回して収納できるように構成することも可能である。
【００６０】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【００６１】
本出願は、２００６年２月１４日出願の日本特許出願（特願２００６−０３６３１２）に基づくものであり、その内容はここに参照として取り込まれる。
【産業上の利用可能性】
【００６２】
以上のように、本発明にかかるイヤホン接続ケーブル及び該イヤホン接続ケーブルを接続した携帯機器は、アンテナ機能と音声信号伝送機能とを有する線状導体（イヤホンケーブル）及び該イヤホンケーブルを備えた携帯電話端末、通信機能付きメディアプレーヤ、通信機能搭載ゲーム機器等の電子機器、携帯機器におけるステレオイヤホン間、または、イヤホンとマイクとの間の音声信号重畳を抑制することにより、音声信号伝送の高性能化に寄与する。
【図面の簡単な説明】
【００６３】
【図１】本発明の実施の形態におけるイヤホン接続ケーブル及び該イヤホン接続ケーブルを接続した携帯機器の構成図
【図２】本発明の実施の形態における携帯機器の使用状態を説明する説明図
【図３】本発明の第２の実施の形態におけるイヤホン接続ケーブル及び該イヤホン接続ケーブルを接続した携帯機器の構成図
【図４】本発明の第３の実施の形態におけるマイク付きイヤホン接続ケーブル及び該イヤホン接続ケーブルを接続した携帯機器の構成図
【図５】従来のイヤホン接続ケーブル及び該イヤホン接続ケーブルを接続した携帯機器の接地態様を説明する説明図
【符号の説明】
【００６４】
１０１  携帯機器
１０２  チューナー部（受信部）
１０３  音声回路
１０４  端子バネ
１０５  機器側コネクタ（接続手段）
１０６  ケーブル側コネクタ（接続手段）
１０７  同軸線
１０８ａ  Ｒ側音声信号線
１０８ｂ  Ｌ側音声信号線
１０９  アンテナ信号線（受信波伝送路）
１１０  接地電位線
１１１  第１インダクタンス素子
１１２  第２インダクタンス素子（群）
１１３  中継ユニット（中継手段）
１１４  接地電位線（アース線）
１１５，１１５ａ，１１５ｂ  アンテナ素子
１１６ａ  Ｒ側イヤホン
１１６ｂ  Ｌ側イヤホン
２０１  使用者（ユーザ）
３０１  第２中継ユニット（第２中継手段）
３０２  第２接続ユニット（第２接続手段）
３０３  第３インダクタンス素子（群）
３０４  端子バネ
３０５  ケーブル側第２コネクタ（接続手段）
３０６  第２アンテナ素子
４０８ａ  マイク入力信号線
４０８ｂ  イヤホン出力信号線
４０３  マイク
４０４  イヤホン
５１４ａ  Ｒ側イヤホン接地線（Ｒ側イヤホンアース）
５１４ｂ  Ｌ側イヤホン接地線（Ｒ側イヤホンアース）
【図１】
0005180058.tif 000002
【図２】
0005180058.tif 000003
【図３】
0005180058.tif 000004
【図４】
0005180058.tif 000005
【図５】
0005180058.tif 000006